(57)【要約】【課題】  出力イメージなどが出力された被出力媒体が実際に対象物に付着した状態を、確実に把握することを可能にする。【解決手段】  ラベルライタ１では、ラベルに印刷される印刷イメージなどを表示する透明ディスプレイ２が、透明ディスプレイ２への画像表示を制御する制御手段などを備えた本体部３に、ヒンジ部を介して取り付け角度を変更可能に取り付けられている。透明ディスプレイ２は、その背後に存在する対象物が視認可能な透明体で構成されているため、ラベルライタ１のユーザにとっては、透明ディスプレイ２に表示された印刷イメージなどが対象物と重畳して見える。【選択図】  図８
2006168186.tif 000002
【特許請求の範囲】
【請求項１】
被出力媒体に出力される出力イメージ又は該出力イメージが出力される領域を示す出力対象領域を表示する表示手段と、該出力イメージ又は該出力対象領域を該表示手段に表示させる表示制御手段とを備えたイメージ表示装置において、
前記表示手段は、該表示手段の背後に存在する対象物が視認可能な透明体であって、前記出力イメージ又は前記出力対象領域と該対象物とが重畳して見えるように構成されたことを特徴とするイメージ表示装置。
【請求項２】
前記表示制御手段は、前記出力イメージ又は前記出力対象領域を前記被出力媒体に出力される縮尺で、前記表示手段に表示させることを特徴とする請求項１に記載のイメージ表示装置。
【請求項３】
前記表示制御手段は、前記被出力媒体と同じ形状及び大きさの媒体イメージを、前記表示手段に表示させることを特徴とする請求項１又は２に記載のイメージ表示装置。
【請求項４】
前記表示手段への表示対象である前記出力イメージ又は前記出力対象領域と、前記媒体イメージとの少なくとも１つについて、前記表示手段に現実に表示する範囲を特定し、該表示すべき範囲を表示イメージとして前記表示制御手段に指示する指示手段を備えたことを特徴とする請求項３に記載のイメージ表示装置。
【請求項５】
前記表示手段の前記対象物に対する位置変動を取得する位置変動取得手段を備え、
前記指示手段は、前記位置変動取得手段により取得された位置変動に応じて、前記表示イメージを変化させることを特徴とする請求項４に記載のイメージ表示装置。
【請求項６】
前記表示イメージを任意に変化させるための情報を入力する位置指定手段を備え、
前記位置変動取得手段は、前記位置指定手段により入力された情報に基づいて、前記表示手段の前記対象物に対する位置変動を取得することを特徴とする請求項５に記載のイメージ表示装置。
【請求項７】
前記表示手段は、任意の方向に移動可能な前記イメージ装置の本体部に取り付けられており、
前記本体部に設けられ、該本体部の移動方向及び移動距離を検出する位置検出手段を備え、
前記位置変動取得手段は、前記位置検出手段により検出された情報に基づいて、前記表示手段の前記対象物に対する位置変動を取得することを特徴とする請求項５に記載のイメージ表示装置。
【請求項８】
前記位置検出手段は、さらに、前記表示手段の前記本体部への取付け角度と、前記本体部の角度変化量との少なくとも一つを検出することを特徴とする請求項７に記載のイメージ表示装置。
【請求項９】
前記位置変動取得手段により、前記表示手段の前記対象物に対する位置変動が取得された場合、
前記指示手段は、その位置変動に追従するように前記表示イメージを変化させ、
前記表示制御手段は、前記指示手段による前記表示イメージの変化を、前記表示手段に連続的に表示させることを特徴とする請求項５乃至８のいずれかに記載のイメージ表示装置。
【請求項１０】
前記表示手段は、前記本体部に取付け角度を変更可能に取り付けられていることを特徴とする請求項１乃至９のいずれかに記載のイメージ表示装置。
【請求項１１】
前記表示制御手段は、複数の前記被出力媒体を組み合わせた状態における、前記出力イメージ又は前記出力対象領域を、前記表示手段に表示させることを特徴とする請求項１乃至１０のいずれかに記載のイメージ表示装置。
【請求項１２】
前記出力は、前記出力イメージを前記被出力媒体に印刷すること、又は前記出力イメージに基づいて前記被出力媒体を切断することであることを特徴とする請求項１乃至１１のいずれかに記載のイメージ表示装置。
【請求項１３】
前記出力イメージを前記被出力媒体に出力する出力手段を備えたことを特徴とする請求項１乃至１２のいずれかに記載のイメージ表示装置。
【発明の詳細な説明】
【技術分野】
【０００１】
本発明は、印刷イメージやカッティングイメージ等のように、被出力媒体に出力すべき出力イメージなどを表示するイメージ表示装置に関し、詳細には、透明なディスプレイに出力イメージなどを表示するものに関する。
【背景技術】
【０００２】
従来、所望の印刷イメージをシート状のテープに印刷してラベルを作成するためのラベルライタには、付属のディスプレイにその印刷イメージを表示させて、ラベルに印刷する内容を確認するプレビュー機能を備えられているものがある。例えば、複数の記号のフォントデータをＲＯＭに記憶させ、その記号がフォントデータから誘導されて、適宜なスケーリング係数によって決定されるサイズでディスプレイに表示又はラベルに印刷されるようにして、ユーザがラベルの最終的な形態を明瞭に把握できるようにするラベル印刷装置が知られている（例えば、特許文献１を参照）。
【特許文献１】特開平６−１６６１９５号公報
【発明の開示】
【発明が解決しようとする課題】
【０００３】
ところで、ラベルライタにより印刷されたラベルは、戸棚やファイルなどの対象物に貼って使用するものである。そのため、上記の従来技術によって、ディスプレイ上で印刷イメージのみを表示させても、実際にそのラベルを対象物に貼った状態での外観，大きさ，印象などを把握することができなかった。そして、プレビュー機能で確認して作成したラベルであっても、実際に対象物に貼ってみると期待していたような外観，大きさ，印象とは異なることがあった。
【０００４】
一方、葉書や便箋などの対象物のイメージに、所望の印刷イメージを重ね合わせて、ディスプレイ上に表示するプレビュー機能を備えたラベル作成ソフトが知られている。このプレビュー機能によれば、対象物にラベルを実際に貼った状態をディスプレイ上で確認することができる。しかしながら、このプレビュー機能で表示される対象物のイメージはあくまで擬似的なものであるため、実際に対象物にラベルを貼ってみると、ディスプレイ上に表示された状態とは異なる場合があった。さらに、ディスプレイ上にイメージを表示できる対象物は、葉書や便箋などの所定のテンプレートを有するものに限定されるという問題があった。
【０００５】
本発明は上記課題を解決するためになされたものであり、出力イメージなどが出力された被出力媒体が実際に対象物に付着した状態を確実に把握することができるイメージ表示装置の提供を目的とする。
【課題を解決するための手段】
【０００６】
上記目的を達成するために、請求項１に係る発明のイメージ表示装置は、被出力媒体に出力される出力イメージ又は該出力イメージが出力される領域を示す出力対象領域を表示する表示手段と、該出力イメージ又は該出力対象領域を該表示手段に表示させる表示制御手段とを備えたイメージ表示装置において、前記表示手段は、該表示手段の背後に存在する対象物が視認可能な透明体であって、前記出力イメージ又は前記出力対象領域と該対象物とが重畳して見えるように構成されたことを特徴とする。
【０００７】
また、請求項２に係る発明のイメージ表示装置は、請求項１に記載の発明の構成に加え、前記表示制御手段は、前記出力イメージ又は前記出力対象領域を前記被出力媒体に出力される縮尺で、前記表示手段に表示させることを特徴とする。
【０００８】
また、請求項３に係る発明のイメージ表示装置は、請求項１又は２に記載の発明の構成に加え、前記表示制御手段は、前記被出力媒体と同じ形状及び大きさの媒体イメージを、前記表示手段に表示させることを特徴とする。
【０００９】
また、請求項４に係る発明のイメージ表示装置は、請求項３に記載の発明の構成に加え、前記表示手段への表示対象である前記出力イメージ又は前記出力対象領域と、前記媒体イメージとの少なくとも１つについて、前記表示手段に現実に表示する範囲を特定し、該表示すべき範囲を表示イメージとして前記表示制御手段に指示する指示手段を備えている。
【００１０】
また、請求項５に係る発明のイメージ表示装置は、請求項４に記載の発明の構成に加え、前記表示手段の前記対象物に対する位置変動を取得する位置変動取得手段を備え、前記指示手段は、前記位置変動取得手段により取得された位置変動に応じて、前記表示イメージを変化させることを特徴とする。
【００１１】
また、請求項６に係る発明のイメージ表示装置は、請求項５に記載の発明の構成に加え、前記表示イメージを任意に変化させるための情報を入力する位置指定手段を備え、前記位置変動取得手段は、前記位置指定手段により入力された情報に基づいて、前記表示手段の前記対象物に対する位置変動を取得することを特徴とする。
【００１２】
また、請求項７に係る発明のイメージ表示装置は、請求項５に記載の発明の構成に加え、前記表示手段は、任意の方向に移動可能な前記イメージ装置の本体部に取り付けられており、前記本体部に設けられ、該本体部の移動方向及び移動距離を検出する位置検出手段を備え、前記位置変動取得手段は、前記位置検出手段により検出された情報に基づいて、前記表示手段の前記対象物に対する位置変動を取得することを特徴とする。
【００１３】
また、請求項８に係る発明のイメージ表示装置は、請求項７に記載の発明の構成に加え、前記位置検出手段は、さらに、前記表示手段の前記本体部への取付け角度と、前記本体部の角度変化量との少なくとも一つを検出することを特徴とする。
【００１４】
また、請求項９に係る発明のイメージ表示装置は、請求項５乃至８のいずれかに記載の発明の構成に加え、前記位置変動取得手段により、前記表示手段の前記対象物に対する位置変動が取得された場合、前記指示手段は、その位置変動に追従するように前記表示イメージを変化させ、前記表示制御手段は、前記指示手段による前記表示イメージの変化を、前記表示手段に連続的に表示させることを特徴とする。
【００１５】
また、請求項１０に係る発明のイメージ表示装置は、請求項１乃至９のいずれかに記載の発明の構成に加え、前記表示手段は、前記本体部に取付け角度を変更可能に取り付けられていることを特徴とする。
【００１６】
また、請求項１１に係る発明のイメージ表示装置は、請求項１乃至１０のいずれかに記載の発明の構成に加え、前記表示制御手段は、複数の前記被出力媒体を組み合わせた状態における、前記出力イメージ又は前記出力対象領域を、前記表示手段に表示させることを特徴とする。
【００１７】
また、請求項１２に係る発明のイメージ表示装置は、請求項１乃至１１のいずれかに記載の発明の構成に加え、前記出力は、前記出力イメージを前記被出力媒体に印刷すること、又は前記出力イメージに基づいて前記被出力媒体を切断することであることを特徴とする。
【００１８】
また、請求項１３に係る発明のイメージ表示装置は、請求項１乃至１２のいずれかに記載の発明の構成に加え、前記出力イメージを前記被出力媒体に出力する出力手段を備えている。
【発明の効果】
【００１９】
請求項１に係る発明のイメージ表示装置では、表示手段はその背後に存在する対象物が視認可能な透明体であって、被出力媒体に出力すべき出力イメージ又は出力対象領域と、被出力媒体が実際に付着される対象物とが重畳して見えるように構成された。よって、出力イメージなどが出力された被出力媒体が実際に対象物に付着した状態を確実に把握することができる。
【００２０】
また、請求項２に係る発明のイメージ表示装置では、請求項１に記載の発明の効果に加え、出力イメージ又は出力対象領域が被出力媒体に出力される縮尺で表示手段に表示される。よって、出力イメージなどを現実に出力されるサイズで表示することができる。
【００２１】
また、請求項３に係る発明のイメージ表示装置では、請求項１又は２に記載の発明の効果に加え、被出力媒体と同じ形状及び大きさの媒体イメージを表示手段に表示される。よって、現実の被出力媒体と同じような媒体イメージを表示することができる。
【００２２】
また、請求項４に係る発明のイメージ表示装置では、請求項３に記載の発明の効果に加え、現実に表示する範囲を特定して、その範囲を表示イメージとして表示手段に表示させる。よって、印刷イメージなどのサイズが表示手段よりも大きい場合であっても、その印刷イメージなどにおける適切な範囲のみを、表示イメージとして表示手段に表示することができる。
【００２３】
また、請求項５に係る発明のイメージ表示装置では、請求項４に記載の発明の効果に加え、表示手段の対象物に対する位置変動を取得して、その位置変動に応じて表示イメージを変化させる。よって、表示手段の対象物に対する位置変動が取得されると、表示手段に表示される表示イメージが適切に変化するようにすることができる。
【００２４】
また、請求項６に係る発明のイメージ表示装置では、請求項５に記載の発明の効果に加え、表示イメージを任意に変化させるための情報が入力されると、表示手段の対象物に対する位置変動が取得される。よって、ユーザによる指示に応じて、表示イメージが適切に変化するようにすることができる。
【００２５】
また、請求項７に係る発明のイメージ表示装置では、請求項５に記載の発明の効果に加え、表示手段は任意の方向に移動可能なイメージ装置の本体部に設けられ、この本体部の移動により検出された移動距離及び移動方向に基づいて、表示手段の対象物に対する位置変動が取得される。よって、本体部が移動するのに応じて、表示イメージが適切に変化するようにすることができる。
【００２６】
また、請求項８に係る発明のイメージ表示装置では、請求項７に記載の発明の効果に加え、さらに、本体部の角度変化量と、表示手段の本体部への取付け角度との少なくとも１つに基づいて、表示手段の対象物に対する位置変動が取得される。よって、本体部が移動するのに応じて、表示イメージが適切に変化するようにすることができる。
【００２７】
また、請求項９に係る発明のイメージ表示装置では、請求項５乃至８のいずれかに記載の発明の効果に加え、表示手段の対象物に対する位置変動が取得されると、それに追従するように表示イメージを変化させる。よって、表示手段の位置変動に応じて、その表示手段に表示される表示イメージが、リアルタイムに変化するようにすることができる。
【００２８】
また、請求項１０に係る発明のイメージ表示装置では、請求項１乃至９のいずれかに記載の発明の効果に加え、表示手段は本体部に取付け角度を変更可能に取り付けられている。よって、表示手段に表示された出力イメージなどを、その背後に存在する対象物に容易かつ正確に重ねることができる。
【００２９】
また、請求項１１に係る発明のイメージ表示装置では、請求項１乃至１０のいずれかに記載の発明の効果に加え、複数の被出力媒体を組み合わせた状態における出力イメージなどを表示手段に表示させる。よって、複数の被出力媒体を組み合わせた状態に基づいて、出力イメージなどの一部又は全部を表示することができる。
【００３０】
また、請求項１２に係る発明のイメージ表示装置では、請求項１乃至１１のいずれかに記載の発明の効果に加え、出力は印刷又はカッティングとした。よって、本発明を印刷装置やカッティングプロッタなどの機器に適用することができる。
【００３１】
また、請求項１３に係る発明のイメージ表示装置では、請求項１乃至１２のいずれかに記載の発明の効果に加え、被出力媒体に出力イメージを出力する出力手段を備えた。よって、透明ディスプレイにおける表示内容を確認したら、その場でラベルを作成することができる。
【発明を実施するための最良の形態】
【００３２】
以下、本発明の第１の実施の形態について説明する。本実施形態に係るラベルライタ１は、書籍，戸棚，ファイル，筆記具などの任意の対象物に貼り付けるために、文字や画像などの所望の印刷イメージが印刷されたラベルを作成する携帯型のラベルライタである。
【００３３】
まず、本実施の形態に係るラベルライタ１の物理的構成について説明する。図１は、ラベルライタ１の平面図である。図２は、ラベルライタ１の側面図である。図３は、ラベルライタ１の底面図である。図４は、ラベルライタ１の側面断面図である。
【００３４】
図１乃至図３に示すように、ラベルライタ１は、正面視、長方形状をなす薄板の透明ディスプレイ２と、厚みの小さい直方体形状をなす本体部３とで構成されている。透明ディスプレイ２は、その背後に存在する対象物を視認可能に構成された透明な画像表示装置である。そのため、ユーザにとっては透明ディスプレイ２に表示された画像が、その背後に存在する対象物と重畳して見える。本実施形態の透明ディスプレイ２は、有機ＥＬ（エレクトロルミネッセンス）素子を用いた有機ＥＬディスプレイである。なお、透明ディスプレイ２は公知技術を用いて構成すればよく、例えば、ガラス基板の上に電極、絶縁層、発光層などが積層されて構成される。
【００３５】
一方、本体部３はラベルライタ１の筐体であり、内部にラベルライタ１の動作を司る後述の制御部１０が具備されており、入力パネル５，第１移動ボール６，第２移動ボール７，印刷出力部８，ラベル排出口９を備えている。また、図示しないが、ラベルとなる長尺のテープと、印刷用のインクリボンを各々スプールに巻装したものを一体に収納したテープカートリッジなどを備えている。
【００３６】
入力パネル５は、平面視、本体部３の上面中央に設けられている。ユーザは入力パネル５に設けられたキーやボタンを操作して、印刷イメージの選択や印刷開始の指示などの各種操作を行うことができる。また、第１移動ボール６及び第２移動ボール７は、ユーザがラベルライタ１を対象物に沿って移動させると、その移動に伴って回転する回転体である。第１移動ボール６及び第２移動ボール７は、本体部３の下面に所定の間隔をあけて各々設けられている。この第１移動ボール６及び第２移動ボール７は、ラベルライタ１の移動を円滑にするとともに、その位置変動を検出するのに用いられる。また、印刷出力部８は、ユーザからの印刷開始の指示があると、指定された印刷イメージを長尺のテープに印刷して、当該テープを切断してラベルを作成する機構である。印刷出力部８は、従来のラベルライタと同様に、図示しないステップモータ，カッタ，印刷ヘッドなどから構成されている。また、印刷出力部８で作成されたラベルは、ラベル排出口９を通して外部に排出される。なお、本実施の形態においては、テープは印刷後に切断されるが、他の実施の形態として、テープを先に切断してから印刷してもよい。
【００３７】
そして、透明ディスプレイ２と本体部３とは、各々の長手方向の一端部において、本体部３の下面側と透明ディスプレイ２の上面側とが当接するように、ヒンジ部４を介して接続されている、図４に示すように、ヒンジ部４では、透明ディスプレイ２の上面から突出した凸部が、本体部３の下面側に形成された凹部に回動可能に係合されている。そのため、透明ディスプレイ２及び本体部３は、ヒンジ部４を中心として任意の方向に回動することができる。言い換えれば、透明ディスプレイ２は、本体部３に対して取付け角度を変更可能に取り付けられた構成をなす。よって、ラベルライタ１のユーザは、透明ディスプレイ２をヒンジ部４中心に回転させることで、不使用時には透明ディスプレイ２を、平面視、本体部３の背後に隠れるように収容させ、使用時には透明ディスプレイ２を本体部３の背後から取り出すことができる。
【００３８】
次に、本実施の形態に係るラベルライタ１の電気的構成について説明する。図５は、ラベルライタ１の電気的構成を示すブロック図である。図６は、ＲＡＭ１３に設けられた記憶領域の構成を示す図である。
【００３９】
図５に示すように、ラベルライタ１の制御部１０では、ラベルライタ１の全体の制御を実行するＣＰＵ１１に、先述の透明ディスプレイ２，入力パネル５，印刷出力部８が接続され、さらにＲＯＭ１２，ＲＡＭ１３，第１位置センサ１４，第２位置センサ１５，角度センサ１６，タイマ１７，カセットセンサ１８，通信Ｉ／F１９が接続されている。このような構成のラベルライタ１は、任意の印刷イメージが形成されたラベルを作成するために必要な機能を具備した、いわゆるスタンドアロン型のラベルライタである。
【００４０】
ＲＯＭ１２は、ラベルライタ１で実行される各種プログラムや固定値データなどを格納した書換不能なメモリである。ＲＡＭ１３は、ラベルライタ１の各処理の実行時に各種のデータを一時的に記憶するためのメモリである。第１位置センサ１４及び第２位置センサ１５は、それぞれ第１移動ボール６及び第２移動ボール７の動作を検出して、その相対位置を測定するためのセンサである。角度センサ１６は、ヒンジ部４における透明ディスプレイ２の本体部３に対して取付け角度を測定するためのセンサである。タイマ１７は、各種処理に必要な時間をカウントするものである。カセットセンサ１８は、図示しないテープカートリッジを検出するためのセンサである。通信Ｉ／F１９は、外部のコンピュータ機器とデータ通信するためのインターフェイスである。
【００４１】
図６に示すように、ＲＡＭ１３には、透明ディスプレイ２に表示する元となる画像であって、後述する印刷イメージと媒体イメージとを合成したものである全体イメージを記憶する全体イメージ記憶エリア１３１と、透明ディスプレイ２に実際に表示するイメージを作成するために、全体イメージを貼り付ける仮想平面に対応した作業領域である作業用全体イメージ記憶エリア１３２と、長尺のテープに印刷する印刷イメージを出力サイズと同一の縮尺で格納する印刷イメージ記憶エリア１３３と、印刷されたテープが切断されてできたラベルと同じ形状及び大きさの媒体イメージを格納する媒体イメージ記憶エリア１３４と、第１位置センサ１４により測定された第１相対位置座標（以下、第１座標という）を記憶する第１座標記憶エリア１３５と、第２位置センサ１５により測定された第２相対位置座標（以下、第２座標という）を記憶する第２座標記憶エリア１３６と、角度センサ１６により測定された透明ディスプレイ２の取付け角度を記憶する初期絶対角度記憶エリア１３７と、外部と送受信される各種データを記憶する通信用記憶エリア１３８と、後述のリアルタイム表示処理を実行すべきか否かを示すリアルタイムフラグを記憶するフラグ記憶エリア１３９と、その他の各種記憶エリアとが設けられている。尚、複数のラベルを幅方向に並べて配置させることで、１つの大きなイメージを表現するスプリット印刷においては、印刷イメージは１つの大きなイメージを示し、媒体イメージは複数のラベルを幅方向に配置したものを一枚のラベルとみなしたものを示す。
【００４２】
次に、本実施の形態に係るラベルライタ１のユーザによる使用態様と、ラベルライタ１の動作概要について説明する。図７は、透明ディスプレイ２に表示される編集画面の一例を示す図である。図８は、ラベルライタ１のユーザによる使用態様を説明するための図である。
【００４３】
ユーザがラベルライタ１を使用する場合、本体部３に電源を投入し、またヒンジ部４を中心に視認可能な位置まで透明ディスプレイ２を回転させる。そして、透明ディスプレイ２に表示された編集画面において、入力パネル５を操作して任意の文字や画像を印刷イメージとして入力又は選択し、その印刷イメージに対して各種条件を設定する。
【００４４】
図７に示すように、透明ディスプレイ２に表示される編集画面では、ユーザは印刷イメージ「ＡＢＣＤ」及び「ａｂｃｄｅ」を入力している。そして、ユーザは各印刷イメージの大きさを「大」，「中」，「小」から指定することができる。また、各印刷イメージをテープに対して「縦」方向に印刷するか、又は「横」方向に印刷するかを選択することができる。また、各印刷イメージに対して「下線」を施したり、各印刷イメージを「太字」で表したり、１つの印刷イメージを複数のラベルで構成する「スプリット」印刷を行うなどの各種条件を、ユーザは任意で設定することができる。
【００４５】
編集画面（図７）において印刷イメージを設定した後、ラベルライタ１の下面を対象物に当接させるとともに、透明ディスプレイ２を対象物上のラベルを貼り付ける箇所に位置させる。その状態で、ユーザがプレビューの開始をラベルライタ１に指示すると、印刷イメージと媒体イメージとで合成された全体イメージが透明ディスプレイ２に表示される。これにより、透明ディスプレイ２を視認するユーザにとっては、その透明ディスプレイ２で表示される全体イメージと、その背後に存在する対象物とが重畳して見える。全体イメージが透明ディスプレイ２よりもサイズが大きい場合は、透明ディスプレイ２には全体イメージの一部しか表示されないが、ユーザがラベルライタ１を対象物の表面を滑らすように移動させると、その位置変動に対応するように全体イメージの残りの部分が表示される。そして、透明ディスプレイ２に表示されている全体イメージと、その背後に存在する対象物との重複表示状態に問題がなければ、ユーザはラベルを作成・出力して対象物に貼り付けることになる。なお、先に透明ディスプレイ２に全体イメージを表示させてから、その状態で透明ディスプレイ２を対象物に重ね合わせるように、ラベルライタ１を使用してもよい。
【００４６】
図８に示すように、「ＡＢＣＤ」が印刷された横長のラベルを、書籍のタイトル部分に貼り付ける予定である場合、ユーザは透明ディスプレイ２がそのタイトル部分に位置するようにラベルライタ１を書籍に当てて、プレビューを実行する。すると、透明ディスプレイ２には、「ＡＢＣＤ」の印刷イメージと、ラベルの媒体イメージとが合成された全体イメージが表示される。これにより、ユーザは「ＡＢＣＤ」が印刷された横長のラベルが書籍に貼り付けられた状態を把握して、そのラベルを作成・出力するか否かを決定する。
【００４７】
以下、本実施形態に係るラベルライタ１で実行される処理について説明する。図９は、ラベルライタ１のメイン処理を示すフローチャートである。図１０は、プレビュー処理（Ｓ７）の詳細を示すフローチャートである。図１１は、リアルタイム初期化処理（Ｓ２３）の詳細を示すフローチャートである。図１２乃至図１５は、リアルタイム初期化処理（Ｓ２３）における、作業用全体イメージ記憶エリア１３２を概念的に示す図である。図１６は、リアルタイム初期化処理（Ｓ２３）における、全体イメージ及び表示イメージの位置関係を示す図である。図１７は、リアルタイム表示処理（Ｓ２５）の詳細を示すフローチャートである。図１８乃至図２１は、リアルタイム表示処理（Ｓ２５）における、作業用全体イメージ記憶エリア１３２を概念的に示す図である。図２２及び図２３は、リアルタイム表示処理（Ｓ２５）における、全体イメージ及び表示イメージの位置関係を示す図である。
【００４８】
なお、メイン処理（図９）は、ラベルライタ１に電源が投入されると、ＲＯＭ１２に記憶された制御プログラムに基づいて、ＣＰＵ１１により実行される。以下では、横長テープに横書きで印刷イメージを出力する場合を例示して説明するが、縦長テープや縦書きで印刷イメージを出力する場合も同様である。
【００４９】
図９に示すように、ラベルライタ１のメイン処理では、まずＲＡＭ１３のクリア等を行って、ラベルライタ１をデフォルト状態に戻す初期化処理が実行される（Ｓ１）。初期化処理（Ｓ１）が実行されると、透明ディスプレイ２には初期画面として編集画面（図７）であって、まだ文字入力がなされていない状態が表示され、ユーザはこの編集画面から任意の印刷イメージを設定することができる。
【００５０】
次に、入力パネル５のプレビュー開始キー（図示外）が押下されたか否かが判定される（Ｓ３）。プレビュー開始キーが押下された場合（Ｓ３：ＹＥＳ）、ＲＡＭ１３の印刷イメージ記憶エリア１３３に記憶されている印刷イメージと、媒体イメージ記憶エリア１３４に記憶されている媒体イメージとが合成されて、透明ディスプレイ２に表示すべき全体イメージが作成される（Ｓ５）。なお、Ｓ５で作成された全体イメージは、全体イメージ記憶エリア１３１に記憶される。そして、プレビュー処理が実行されて（Ｓ７）、透明ディスプレイ２に全体イメージの全部又は一部が表示されるが、詳細は後述する。
【００５１】
また、プレビュー開始キーが押下されていない場合（Ｓ３：ＮＯ）、入力パネル５の編集用のキー（アルファベットや数字等の各種文字キー，仮名漢字変更キー，改行キー，カーソル移動キーなど（図示外））が押下されたか否かが判定される（Ｓ９）。編集用キーが押下された場合（Ｓ９：ＹＥＳ）、編集画面が押下されたキーに応じて表示更新される表示更新処理が実行される（Ｓ１１）。
【００５２】
一方、編集キーが押下されていない場合（Ｓ９：ＮＯ）、入力パネル５の印刷キー（図示外）が押下されたか否かが判定される（Ｓ１３）。印刷キーが押下された場合（Ｓ１３：ＹＥＳ）、印刷出力部８において、テープカートリッジ（図示外）に収容されたテープに、印刷イメージ記憶エリア１３３に記憶されている印刷イメージが印刷されて、そのテープが切断されてラベルが作成される印刷処理が実行される（Ｓ１５）。印刷キーが押下されていない場合（Ｓ１３：ＮＯ）、ユーザにより入力パネル５から他の動作が指示されていれば、その指示内容に応じて、その他の処理が実行される（Ｓ１７）。なお、Ｓ７，Ｓ１１，Ｓ１５，Ｓ１７の後はＳ３に戻り、ラベルライタ１の起動中はＳ３〜Ｓ１７の処理が繰り返し実行される。
【００５３】
図１０に示すように、プレビュー処理（Ｓ７）では、ＲＡＭ１３のフラグ記憶エリア１３９に記憶されるリアルタイムフラグが「ＯＦＦ」であるか否かが判定される（Ｓ２１）。リアルタイムフラグが「ＯＦＦ」である場合（Ｓ２１：ＹＥＳ）、最初の表示イメージを透明ディスプレイ２に表示させるリアルタイム用初期化処理が実行される（Ｓ２３）。以下では、ユーザが透明ディスプレイ２を本体部３に対して、水平方向からの傾き（取付け角度）αで取付けている場合を例示して説明する。
【００５４】
図１１に示すように、リアルタイム用初期化処理（Ｓ２３）では、位置センサ１４，１５の座標初期化が実行される（Ｓ４１）。すなわち、第１座標記憶エリア１３５に第１位置センサ１４の初期座標が記憶され、第２座標記憶エリア１３６に第２位置センサ１５の初期座標が記憶される。次に、角度センサ１６に基づいて初期の絶対角度が設定される（Ｓ４３）。すなわち、角度センサ１６により検出された透明ディスプレイ２の取付け角度が、初期絶対角度記憶エリア１３７に記憶される。次に、リアルタイムフラグが「ＯＮ」にセットされる（Ｓ４５）。次に、Ｓ４３で設定された初期の絶対角度について、水平方向からの傾きαが算出される（Ｓ４７）。すなわち、ヒンジ部４の中心をとおり、かつ本体部３の長手方向に直交する水平方向に対する、透明ディスプレイ２の傾きαが算出される。
【００５５】
図１２に示すように、ＲＡＭ１３上の仮想平面である作業用全体イメージ記憶エリア１３２では、仮想第１移動ボール６´が（０，０）に設定され、仮想第２移動ボール７´が（０，Ｙ０）に設定され、（０，０）が本座標系の原点となっている。また、第１移動ボール６及び第２移動ボール７の各位置からヒンジ部４の中心位置を特定することができるため、仮想ヒンジ部４´が（０，Ｙ３）に設定されている。そして、ヒンジ部４の位置から透明ディスプレイ２の位置及び大きさを特定することができるから、画面表示領域２´の位置及び範囲が設定されている。画面表示領域２´は、透明ディスプレイ２への表示対象である全体イメージのうちで、実際に透明ディスプレイ２に表示される範囲（表示イメージ）を示す。
【００５６】
そして、全体イメージ記憶エリア１３１に記憶されている全体イメージが、仮想平面上、水平状態での画面表示領域２´に重ねて配置される（Ｓ４９）。すなわち、図１３に示すように、作業用全体イメージ記憶エリア１３２において、全体イメージ記憶エリア１３１から読み出された全体イメージの左上に対応する位置を、水平方向に向いている画面表示領域２´の左上の座標点Ａと一致させるように、両者を重ねて配置する。なお、図１３に示す全体イメージは画面表示領域２´よりも大きく、全体イメージのうちで画面表示領域２´に含まれる範囲が、表示イメージとして透明ディスプレイ２に実際に表示されることになる。
【００５７】
次に、仮想平面上で、全体イメージを仮想ヒンジ部４´中心に角度αだけ回転させる（Ｓ５１）。同様に、画面表示領域２´を仮想ヒンジ部４´中心に角度αだけ回転させる（Ｓ５３）。すなわち、図１４に示すように、作業用全体イメージ記憶エリア１３２において、画面表示領域２及び全体イメージを、仮想ヒンジ部４´（０，Ｙ３）を中心に、Ｓ４７で算出された傾きαだけ回転させる。
【００５８】
そして、仮想平面上で、全体イメージのうちで画面表示領域２´に相当する矩形範囲を、仮想ヒンジ部４´中心に角度（−α）だけ回転させる（Ｓ５５）。すなわち、図１５に示すように、作業用全体イメージ記憶エリア１３２において、Ｓ５１で回転した全体イメージのうちで、Ｓ５３で回転した画面表示領域２´と重なる矩形範囲を、仮想ヒンジ部４´（０，Ｙ３）を中心に、Ｓ４７で算出された傾きαだけ反転（−α回転）させる。そして、この矩形範囲が表示イメージとして透明ディスプレイ２に表示されて（Ｓ５７）、プレビュー処理（図１０）に戻る。
【００５９】
その結果、図１６に示すように、本実施形態のラベルライタ１では、透明ディスプレイ２が本体部３に対して水平方向からの傾き（取付け角度）αで取り付けられているが、その傾きαに関わりなく全体イメージの左上部分が、表示イメージとして透明ディスプレイ２に表示されている。ユーザはこの表示イメージと対象物とを重ねて見ることができる。尚、全体イメージをＳ５１でα回転し、Ｓ５５で（−α）回転しているのは一見無駄に見えるが、これはＳ５１〜Ｓ５３が後述するリアルタイム表示処理のＳ７７〜Ｓ７９に、Ｓ５５〜Ｓ５７が同じくリアルタイム表示処理のＳ８５〜Ｓ８７に対応し、処理の共通化を図っているためである。
【００６０】
このように、図１１に示すリアルタイム用初期化処理（Ｓ２３）では、透明ディスプレイ２への表示対象となる全体イメージのうちで、当該全体イメージの左上に相当する位置を基点にして画面表示領域２´に含まれる矩形範囲が特定される。そして、その矩形範囲が最初に表示すべき表示イメージとして、透明ディスプレイ２に表示される。
【００６１】
プレビュー処理（図１０）に戻り、リアルタイムフラグが「ＯＮ」である場合（Ｓ２１：ＮＯ）、又はリアルタイム用初期化処理（Ｓ２３）の実行後は、ラベルライタ１の位置変動に応じて、透明ディスプレイ２に表示される表示イメージを変更するリアルタイム表示処理が実行される（Ｓ２５）。以下では、ユーザが図１６に示す状態にあるラベルライタ１を角度変化量β及び移動変化量εだけ移動させ（図２２参照）、さらに透明ディスプレイ２をヒンジ部４中心に角度γだけ回転させた場合（図２３参照）を例示して説明する。
【００６２】
図１７に示すように、リアルタイム表示処理（Ｓ２５）では、まずリアルタイムフラグが「ＯＮ」にセットされる（Ｓ６１）。次に、位置センサ１４，１５により現在の移動ボール６，７の位置が検出され、座標記憶エリア１３５，１３６に記憶される第１座標及び第２座標が各々更新される（Ｓ６３）。そして、初期状態（図１６参照）からの本体部３の移動変化量が算出される（Ｓ６５）。ここで、Ｓ６３で取得された最新の第１座標（Ｘ１，Ｙ１）及び最新の第２座標（Ｘ２，Ｙ２）とすると、Ｓ６５では本体部３の角度変化量βが、次のように算出される。
（１）Ｘ２―Ｘ１≧０の場合
β＝ａｒｃｔａｎ（（Ｙ２−Ｙ１）／（Ｘ２−Ｘ１））−π／２
（２）Ｘ２―Ｘ１<０の場合
β＝ａｒｃｔａｎ（（Ｙ２−Ｙ１）／（Ｘ２−Ｘ１））＋π／２
【００６３】
次に、角度センサ１６の現在の角度が読み込まれ（Ｓ６７）、初期状態からの透明ディスプレイ２の本体部３に対する取付け角度の変化量が算出される（Ｓ６９）。ここで、Ｓ６７で取得された最新の取付け角度Ωとすると、Ｓ６９では取付け角度変化量γが、次のように算出される。
γ＝Ω−α
【００６４】
次に、初期状態からの透明ディスプレイ２の角度変化量が算出される（Ｓ７１）。ここで、Ｓ７１では透明ディスプレイ２の角度変化量θは、次のように算出される。
θ＝β+γ
【００６５】
次に、第１移動ボール６を中心に回転させる場合の、ヒンジ部４の移動量が算出される（Ｓ７３）。ここで、ヒンジ部４の移動量（移動変化量ε）は、初期状態の仮想ヒンジ部４´（０，Ｙ３）を原点中心に角度変化量βだけ回転させた時の回転移動後の座標＝（Ｙ３ｓｉｎβ，Ｙ３ｃｏｓβ）から求めることができる。すなわち、移動変化量εは、（Ｘ方向への移動量）＝Ｙ３ｓｉｎβ、（Ｙ方向への移動量）＝Ｙ３ｃｏｓβである。
【００６６】
そして、全体イメージ記憶エリア１３１に記憶されている全体イメージが、仮想平面上、水平状態での画面表示領域に重ねて配置される（Ｓ７５）。すなわち、図１３と同様に、作業用全体イメージ記憶エリア１３２において、全体イメージと画面表示領域２´とが重ねて配置される。そして、仮想平面上で、全体イメージ及び画面表示領域２´を仮想ヒンジ部４´中心に角度αだけ回転させる（Ｓ７７，Ｓ７９）。すなわち、図１４と同様に、作業用全体イメージ記憶エリア１３２において、画面表示領域２及び全体イメージを、仮想ヒンジ部４´（０，Ｙ３）中心に傾きαだけ回転させる。
【００６７】
次に、仮想平面上で、全体イメージを仮想ヒンジ部４´中心に、初期状態からの透明ディスプレイの角度変化量だけ、反対方向に回転させる（Ｓ８１）。すなわち、作業用全体イメージ記憶エリア１３２において、Ｓ７１で算出された角度変化量θに基づいて、全体イメージを仮想ヒンジ部４´中心に反転させる。図１８は、作業用全体イメージ記憶エリア１３２において、全体イメージを移動後の仮想ヒンジ部４´中心に、Ｓ６９で算出された取付け角度変化量γだけ反転（−γ回転）したことを示し、さらに、図１９は、S６５で算出された角度変化量βだけ反転（−β回転）したことを示し、あわせて角度変化量θだけ反転（−θ回転）したことを図示している。
【００６８】
次に、仮想平面上で、全体イメージを初期状態からのヒンジ部４の移動量だけ、反対方向に移動させる（Ｓ８３）。すなわち、図２０に示すように、作業用全体イメージ記憶エリア１３２において、Ｓ７３で算出された移動変化量εに基づき、全体イメージを（−（Ｘ１＋Ｙ３ｓｉｎβ），−（Ｙ１＋Ｙ３ｃｏｓβ−Ｙ３））だけ平行移動させる。
【００６９】
そして、仮想平面上で、全体イメージのうちで画面表示領域２´に相当する矩形範囲を、仮想ヒンジ部４´中心に角度（−α）だけ回転させる（Ｓ８５）。すなわち、図２１に示すように、作業用全体イメージ記憶エリア１３２において、Ｓ８３で移動した全体イメージのうちで、Ｓ７９で回転した画面表示領域２´と重なる矩形範囲を、仮想ヒンジ部４´（０，Ｙ３）を中心に傾きαだけ反転（−α回転）させる。そして、この矩形範囲が表示イメージとして透明ディスプレイ２に表示されて（Ｓ８７）、プレビュー処理（図１０）に戻る。
【００７０】
上記の処理により、ユーザが初期状態（図１６）のラベルライタ１の第１移動ボール６を移動変化量εだけ移動させながら、第１移動ボール６を中心とする角度変化量βだけ移動させ（図２２参照）、さらに透明ディスプレイ２をヒンジ部４中心に取付け角度変化量γだけ回転させた結果（図２３参照）、その位置変動に応じた表示イメージが透明ディスプレイ２に表示されている（図２３参照）。つまり、リアルタイム表示処理（Ｓ２５）では、対象物に対する全体イメージの位置は変化しない一方、ラベルライタ１の位置変動に応じて、透明ディスプレイ２に表示される表示イメージが、全体イメージにおいて対応する部分のものに変化するように制御される。
【００７１】
このように、図１７に示すリアルタイム表示処理（Ｓ２５）では、図１１に示すリアルタイム用初期化処理（Ｓ２３）で設定された全体イメージのうちで、ラベルライタ１の位置変動に応じて画面表示領域２´に含まれる矩形範囲が特定される。そして、その矩形範囲が表示イメージとして、透明ディスプレイ２に表示される。
【００７２】
プレビュー処理（図１０）に戻り、入力パネル５に設けられた位置リセットキー（図示外）が押下されたか否かが判定される（Ｓ２７）。位置リセットキーは、透明ディスプレイ２に表示されている表示イメージを初期状態に戻すための入力キーである。位置リセットキーが押下された場合（Ｓ２７：ＹＥＳ）、図１１と同様にリアルタイム用初期化処理が実行される（Ｓ２９）。その結果、全体イメージの対象物に対する配置位置が、透明ディスプレイ２の位置に基づいて移動する。そして、図１６と同様に、全体イメージのうちで当該全体イメージの左上に相当する位置を基点にして、画面表示領域２´に含まれる矩形範囲が表示イメージとして透明ディスプレイ２に表示される。なお、図１０に示すプレビュー処理中の各ステップは高速に処理されるため、透明ディスプレイ２に表示される表示イメージも高速に書き換わり、人間の目にはリアルタイムで書き換わっているように感知される。
【００７３】
位置リセットキーが押下されていない場合（Ｓ２７：ＮＯ）、又はリアルタイム用初期化処理（Ｓ２９）を実行した場合、入力パネル５に設けられたプレビュー終了キー（図示外）が押下されたか否かが判定される（Ｓ３１）。プレビュー終了キーは、プレビュー処理（図１０）を終了してメイン処理（図９）に戻すための入力キーである。プレビュー終了キーが押下された場合（Ｓ３１：ＹＥＳ）、メイン処理（図９）に戻る一方、プレビュー終了キーが押下されていない場合（Ｓ３１：ＮＯ）、Ｓ２１に戻る。
【００７４】
このように、図１０に示すプレビュー処理（Ｓ７）では、開始時に全体イメージの左上部分が初期表示イメージとして透明ディスプレイ２に表示され、ユーザによりラベルライタ１が移動されると、透明ディスプレイ２に表示される表示イメージを、ラベルライタ１の位置変動に応じて変化させる。また、ユーザにより位置リセットキーが押されると、透明ディスプレイ２に表示される表示イメージを初期のものに戻す。
【００７５】
以上、本実施形態のラベルライタ１によれば、透明ディスプレイ２に表示イメージが表示されるので、ラベルを示す媒体イメージとそのラベルの元となるテープに印刷される内容を示す印刷イメージとが、そのラベルが実際に付着される対象物に重畳して見える。よって、印刷イメージが印刷されたラベルが実際に対象物に付着した状態を、ユーザは確実に把握することができる。
【００７６】
また、印刷イメージは、ラベルの元となるテープに現実に印刷されるのと同じ縮尺で透明ディスプレイ２に表示され、媒体イメージは、実際に用いられるラベルと同じ形状及び大きさで透明ディスプレイ２に表示されるので、ラベルが対象物に付着した状態を、ユーザはより確実に把握することができる。
【００７７】
また、全体イメージが透明ディスプレイ２よりもサイズが大きい場合には、ラベルライタ１の位置変動に応じて、全体イメージにおける対応箇所が特定されて、その対応箇所が透明ディスプレイ２に表示イメージとして表示される。そのため、ラベルライタ１の位置変動に応じて表示イメージがリアルタイムに変化するため、出力イメージの大きさに関わらず、表示イメージを対象物に重ね合わせた状態を、ユーザは確実に把握することができる。
【００７８】
また、ラベルライタ１では、本体部３に移動ボール６，７を設けられており、また透明ディスプレイ２が本体部３に対して取付け角度を変更可能に取り付けられている。よって、透明ディスプレイ２に表示された表示イメージを、その背後に存在する対象物に容易かつ正確に重ねることができる。また、透明ディスプレイ２で確認した表示イメージで問題がない場合は、印刷出力部８を備えているので、即座にその場でラベルを作成し、対象物に貼り付けることができる。
【００７９】
次に、本発明の第２の実施の形態について説明する。本実施形態に係るラベルライタ１は、基本的に第１の実施の形態と同様であるが、図１０に示すプレビュー処理（Ｓ７）の詳細が異なる。以下、第１の実施の形態と異なる点のみを説明する。図２４は、第２の実施の形態における、プレビュー処理（Ｓ７）の詳細を示すフローチャートである。図２５は、固定用初期化処理（Ｓ１０１）の詳細を示すフローチャートである。図２６は、固定表示処理（Ｓ１２１）の詳細を示すフローチャートである。
【００８０】
図２４に示すように、本実施形態のプレビュー処理（Ｓ７）では、まず最初の表示イメージを透明ディスプレイ２に表示させる固定用初期化処理が実行される（Ｓ１０１）。
【００８１】
図２５に示すように、固定用初期化処理（Ｓ１０１）では、まずリアルタイムフラグが「ＯＦＦ」にセットされる（Ｓ１３１）。次に、全体イメージ記憶エリア１３１に記憶されている全体イメージが、仮想平面上、水平状態での画面表示領域に重ねて配置される（Ｓ１３３）。すなわち、図１３と同様に、作業用全体イメージ記憶エリア１３２において、全体イメージと画面表示領域２´が重ねて配置される。そして、仮想平面上で、全体イメージのうちで画面表示領域２´に相当する矩形範囲が特定される（Ｓ１３５）。すなわち、作業用全体イメージ記憶エリア１３２において、Ｓ１３３で配置した全体イメージのうちで、画面表示領域２´と重なる矩形範囲が特定される。そして、この矩形範囲を表示イメージとして透明ディスプレイ２に表示させて（Ｓ１３７）、プレビュー処理（図２４）に戻る。
【００８２】
このように、図２５に示す固定用初期化処理（Ｓ１０１）では、透明ディスプレイ２への表示対象となる全体イメージのうちで、当該全体イメージの左上に相当する位置を基点にして画面表示領域２´に含まれる矩形範囲が特定される。そして、その矩形範囲が最初に表示すべき表示イメージとして、透明ディスプレイ２に表示される。なお、固定用初期化処理（Ｓ１０１）では、全体イメージが透明ディスプレイ２よりもサイズが大きい場合には、透明ディスプレイ２に全体イメージの縮小画像を表示して、ユーザが全体イメージの全体像を把握できるようにしてもよい。
【００８３】
プレビュー処理（図２４）に戻り、入力パネル５に設けられたリアルタイムキー（図示外）が押下されたか否かが判定される（Ｓ１０３）。リアルタイムキーは、ラベルライタ１の位置変動に応じて表示イメージが変化するリアルタイム表示を実行させるための入力キーである。リアルタイムキーが押下された場合（Ｓ１０３：ＹＥＳ）、Ｓ１０５〜Ｓ１１５でリアルタイム表示が実行されるが、その詳細は先述したプレビュー処理（図１０）と同様である。
【００８４】
一方、リアルタイムキーが押下されていない場合（Ｓ１０３：ＮＯ）、リアルタイムフラグが「ＯＮ」であるか否かが判定される（Ｓ１１７）。リアルタイムフラグが「ＯＮ」である場合（Ｓ１１７：ＹＥＳ）、それまでリアルタイム表示（Ｓ１０５〜Ｓ１１５）が実行されていたことを示すから、Ｓ１０１と同様に、図２５に示す固定用初期化処理が実行される（Ｓ１１９）。リアルタイムフラグが「ＯＮ」でない場合（Ｓ１１７：ＮＯ）、又は固定用初期化処理（Ｓ１１９）の実行後は、ユーザによるキー操作に応じて表示イメージが変化する固定表示処理が実行される（Ｓ１２１）。なお、固定表示処理（Ｓ１２１）の実行後は、先述したようにプレビュー終了キーが押下されたか否かが判定され（Ｓ１１５）、押下された場合はプレビュー処理（図２４）が終了し、押下されていない場合はＳ１０３に戻る。
【００８５】
図２６に示すように、固定表示処理（Ｓ１２１）では、入力パネル５に設けられた上下左右に指示可能なカーソルキー（図示外）が押下されたか否かが判定される（Ｓ１５１）。カーソルキーが押下された場合（Ｓ１５１：ＹＥＳ）、仮想平面上で、全体イメージを押下されたカーソルキーに対応した方向に所定量平行移動させる（Ｓ１５３）。すなわち、作業用全体イメージ記憶エリア１３２において、固定用初期化処理（Ｓ１０１，Ｓ１１９）で配置された全体イメージを、ユーザがカーソルキーを押下した方向に所定量平行移動させる。そして、Ｓ１３５と同様にして、仮想平面上で、全体イメージのうちで画面表示領域２´に相当する矩形範囲が特定され（Ｓ１５５）、この矩形範囲を表示イメージとして透明ディスプレイ２に表示させる（Ｓ１５７）。その結果、対象物に対する全体イメージの位置は変化しない一方、ユーザによるカーソルキー押下に応じて、透明ディスプレイ２に表示される表示イメージが、全体イメージにおいて対応する部分のものに変化するように制御される。その後、又はカーソルキーが押下されていない場合（Ｓ１５１：ＮＯ）、プレビュー処理（図２４）に戻る。
【００８６】
このように、図２６に示す固定表示処理（Ｓ１２１）では、図１５に示す固定用初期化処理（Ｓ１０１，Ｓ１１９）で設定された全体イメージのうちで、ユーザによるキー操作に応じて画面表示領域２´に含まれる矩形範囲が特定される。そして、その矩形範囲が表示イメージとして、透明ディスプレイ２に表示される。
【００８７】
以上、本実施形態のラベルライタ１によれば、ラベルライタ１の位置変動により表示イメージが変化するリアルタイム表示と、ユーザによるキー操作により表示イメージが変化する固定表示とを、任意に切り替えることができる。よって、ユーザは透明ディスプレイ２に表示された表示イメージを、その背後に存在する対象物に容易かつ正確に重ねることができる。そして、ラベルが実際に対象物に付着した状態を、確実に把握することができる。特に、対象物の形状,素材,大きさ等の理由で、移動ボール６,７ではラベルライタ１の位置変動を取得できないときには効果的である。
【００８８】
次に、本発明の第３の実施の形態について説明する。本実施形態に係るラベル印刷システムＳは、基本的に第１，第２の実施の形態と同様であるが、ラベルライタ１とは構成が異なる。以下、第１，第２の実施の形態と異なる点のみを説明する。
【００８９】
まず、本実施形態に係るラベル印刷システムＳの構成について説明する。図２７は、ラベル印刷システムＳの全体構成図である。図２８は、プレビューマウス２０の平面図である。図２９は、プレビューマウス２０の側面図である。図３０は、プレビューマウス２０の底面図である。
【００９０】
図２７に示すように、ラベル印刷システムＳは、通常のマウス装置としての機能と画像表示機能とを有するプレビューマウス２０と、プレビューマウス２０に接続された端末装置３０と、端末装置３０に接続されてラベル印刷を実行するラベル印刷装置４０とで構成されている。
【００９１】
端末装置３０は、ＣＰＵ，ＲＯＭ，ＲＡＭ，ＨＤＤなどを具備した通常のコンピュータ装置である。ユーザは、端末装置３０において、各種の印刷イメージや媒体イメージを入力・作成したり、全体イメージを合成したりすることができる。なお、印刷イメージ，媒体イメージ，全体イメージなどは、図示外のＨＤＤに記憶されている。端末装置３０において合成された全体イメージは、プレビューマウス２０に具備された透明ディスプレイに表示させることができる。また、端末装置３０においてラベル印刷の実行が指示されると、設定された印刷イメージに基づいて、ラベル印刷装置４０で所定の長さを有した短冊状のテープに印刷が実行される。つまり、切断手段は備えておらず、テープは既に所定の大きさに設定されているものである。
【００９２】
図２８乃至図３０に示すように、プレビューマウス２０は、基本的な構成及び形態はラベルライタ１と類似しており、透明ディスプレイ２２がヒンジ部２４を介して、本体部２３に対して取付け角度を変更可能に取付けられている。また、本体部２３の底面に第１移動ボール２６及び第２移動ボール２７が設けられている。一方、プレビューマウス２０は、２つのボタンからなるマウスキー２５が、本体部３の上面における端部付近に設けられており、本体部２３の側面には端末装置３０と接続するためのマウスコード２９が設けられている。また、本体部２３の長手方向の側面部には、板状に凹陥したディスプレイ収容部２１が形成されている。そして、透明ディスプレイ２２をヒンジ部２４中心に回転させることで、未使用時には透明ディスプレイ２２をディスプレイ収容部２１に収納できる。また、使用時には、ディスプレイ収容部２１の下側の壁であってヒンジ部２４とは離間した位置に、本体部２３の側面に向かって開いた凹部３０があり、使用時には凹部３０に指を掛けて、収納されている透明ディスプレイ２２をディスプレイ収容部２１から取り出すことができる。また、プレビューマウス２０は、ラベルライタ１と同様に、ＲＯＭやＲＡＭなどを具備した制御部１０を内蔵している（図５参照）。但し、印刷出力部やラベル排出口などのラベル印刷機能は具備していない。
【００９３】
次に、本実施の形態に係るラベル印刷システムＳのユーザによる使用態様と、ラベル印刷システムＳの動作概要について説明する。図３１は、透明ディスプレイ２２に表示される編集画面の一例を示す図である。
【００９４】
ユーザがラベル印刷システムＳを使用する場合、プレビューマウス２０，端末装置３０，ラベル印刷装置４０に電源を投入する。そして、端末装置３０に表示された編集画面において、キーボードやマウスなどの入力装置を用いて、任意の文字や画像を印刷イメージとして入力し、その印刷イメージに対して各種条件を設定する。
【００９５】
図３１に示すように、端末装置３０において表示される編集画面では、ユーザは印刷イメージ「ＡＢＣＤ」を入力している。ユーザは、「メニュー」ボタンを選択すると、各種メニューを設定することができる。印刷イメージの設定後、ユーザは「プレビュー」ボタンを選択すると、その印刷イメージをプレビューマウス２０に表示させることができる。
【００９６】
一方、プレビューマウス２０において、ユーザはヒンジ部２４を中心に視認可能な位置まで透明ディスプレイ２２を回転させる。そして、ラベルライタ１の下面を対象物に当接させるとともに、透明ディスプレイ２２を対象物上のラベル貼付け箇所に位置させる。すると、先述のラベルライタ１と同様に、印刷イメージと媒体イメージとで合成された全体イメージが透明ディスプレイ２２に表示され、ユーザにとっては、その透明ディスプレイ２２で表示される全体イメージと、その背後に存在する対象物とが重畳して見える（図２７参照）。
【００９７】
透明ディスプレイ２２に表示される全体イメージと、その背後に存在する対象物との重複表示状態に問題がなければ、ユーザは端末装置３０の編集画面（図３１）から「印刷」ボタンを選択する。すると、印刷イメージ「ＡＢＣＤ」はラベル印刷装置４０に送信され、ラベル印刷装置４０においてラベルが印刷・出力される。そして、ユーザはラベル印刷装置４０で作成されたラベルを、実際に対象物に貼り付けることになる。
【００９８】
以下、本実施の形態に係るラベル印刷システムＳで実行される処理について説明する。図３２は、端末装置３０のメイン処理を示すフローチャートである。図３３は、プレビューマウス２０のメイン処理を示すフローチャートである。
【００９９】
まず、端末装置３０のメイン処理について説明する。本処理は、基本的に図９に示すメイン処理と同様であるが、プレビュー処理（Ｓ７）や印刷処理（Ｓ１５）を実行しない点で異なる。
【０１００】
図３２に示すように、端末装置３０のメイン処理では、図９に示すメイン処理と同様に、初期化処理が実行される（Ｓ２０１）。そして、編集画面（図３１）において「プレビュー」ボタンが押下されたか否かが判定される（Ｓ２０３）。「プレビュー」ボタンが押下された場合（Ｓ２０３：ＹＥＳ）、端末装置３０のＨＤＤ（図示外）に記憶されている印刷イメージ及び媒体イメージが合成されて、プレビューマウス２０に表示すべき全体イメージが作成される（Ｓ２０５）。そして、プレビューマウス２０にプレビュー開始コマンドが送信される（Ｓ２０７）。
【０１０１】
また、「プレビュー」ボタンが押下されていない場合（Ｓ２０３：ＮＯ）、編集画面（図３１）において「メニュー」ボタンが押下されたか否かが判定される（Ｓ２０９）。「メニュー」ボタンが押下された場合（Ｓ２０９：ＹＥＳ）、図示外の各種メニュー設定画面が表示される（Ｓ２１０）。Ｓ２１０で表示される各種メニュー設定画面において、縦書・横書の設定や太字・イタリックなどの各種文字修飾など、ユーザは任意に設定することができる。設定後は、編集画面（図３１）に戻り、Ｓ２１０により設定された内容が反映された文字列に表示を更新する表示更新処理が実行される（Ｓ２１１）。
【０１０２】
一方、「メニュー」ボタンが押下されていない場合（Ｓ２０９：ＮＯ）、編集画面（図３１）において「印刷」ボタンが押下されたか否かが判定される（Ｓ２１３）。「印刷」ボタンが押下された場合（Ｓ２１３：ＹＥＳ）、ラベル印刷装置４０に印刷コマンドが送信される（Ｓ２１５）。「印刷」ボタンが押下されていない場合（Ｓ２１３：ＮＯ）、ユーザにより編集画面（図３１）から他の動作が指示されていれば、その指示内容に応じて、その他の処理が実行される（Ｓ２１７）。なお、Ｓ２０７，Ｓ２１１，Ｓ２１５，Ｓ２１７の後は、Ｓ２０３に戻る。
【０１０３】
次に、プレビューマウス２０のメイン処理について説明する。本処理では、通常のマウス装置として機能させる処理と、プレビュー機能のための処理（図１０又は図２４に示すプレビュー処理に相当）とが実行される。
【０１０４】
図３３に示すように、端末装置３０のメイン処理では、図９に示すメイン処理と同様に、初期化処理が実行される（Ｓ３０１）。次に、端末装置３０からプレビュー開始コマンドを受信したか否かが判定される（Ｓ３０３）。プレビュー開始コマンドを受信した場合（Ｓ３０３：ＹＥＳ）、端末装置３０から送信される全体イメージを受信して（Ｓ３０５）、図１０又は図２４と同様に、プレビュー処理が実行される（Ｓ３０７）。一方、プレビュー開始コマンドを受信していない場合（Ｓ３０３：ＮＯ）、通常のマウス装置としての処理が実行される（Ｓ３０９）。Ｓ３０７又はＳ３０９の後は、Ｓ３０３に戻る。
【０１０５】
なお、プレビューマウス２０は、ラベルライタ１のように独立したリアルタイムキーや位置リセットキーをもたない。そこで、図２４に示すＳ１０３では、マウスキー２５の左キーを押し続けていれば、リアルタイムキーの押下あり（Ｓ１０３：ＹＥＳ）と判定すればよい。また、図１０に示すＳ２７又は図２４に示すＳ１１１では、マウスキー２５の右キーがクリックされていれば、位置リセットキーの押下あり（Ｓ２７：ＹＥＳ，Ｓ１１１：ＹＥＳ）と判定すればよい。
【０１０６】
以上、本実施形態のラベル印刷システムＳによれば、端末装置３０でユーザが設定した印刷イメージなどを、プレビューマウス２０でプレビュー表示されるようにし、またラベル印刷装置４０でラベルに印刷されるようにした。よって、ラベルライタ１のように必要な機能を全て具備していなくても、各機能が分散された自由な構成で本発明を実現することができる。
【０１０７】
ところで、上記第１乃至第３の実施の形態において、ラベルライタ１及びプレビューマウス２０が本発明の「イメージ表示装置」に相当し、透明ディスプレイ２，２２が本発明の「表示手段」に相当し、図９のメイン処理を実行するＣＰＵ１１と、図３３のメイン処理を実行するＣＰＵ（図示外）とが、本発明の「表示制御手段」，「指示手段」，「位置変動取得手段」に相当する。また、印刷出力部８及びラベル印刷装置４０が本発明の「出力手段」に相当する。また、ラベル及び短冊状のテープが本発明の「被出力媒体」に相当し、印刷イメージが本発明の「出力イメージ」に相当する。また、入力パネル５に設けられたカーソルキー（図示外）が、本発明の「位置指定手段」に相当し、第１位置センサ１４，第２位置センサ１５，角度センサ１６が本発明の「位置検出手段」に相当する。以上は、印刷出力部８及びラベル印刷装置４０の印刷機能に着目したものであるが、例えば、印刷出力部８の切断機能に着目すれば、テープを「被出力媒体」とし、ラベルの輪郭を「出力イメージ」とする実施の形態も考えられる。
【０１０８】
なお、本発明は、以上詳述した第１乃至第３の実施の形態に限定されるものではなく、各種の変形が可能なことはいうまでもない。図３４は、カッティングシステムＳ´の全体構成図である。図３５及び図３６は、透明ディスプレイ２２に表示される編集画面の他の例を示す図である。図３７は、ラベルライタ１の平面拡大図である。
【０１０９】
すなわち、上記実施形態を様々に組み合わせて、本発明を実現するようにしてもよい。例えば、第１の実施の形態に示すラベルライタ１において、第３の実施の形態に示すプレビューマウス２０のように、透明ディスプレイ２を収納するディスプレイ収容部２１を形成してもよい。言い換えれば、透明ディスプレイ２はラベルライタ１（プレビューマウス２０）に任意の態様で具備させることができる。
【０１１０】
また、図３４に示すように、ラベル印刷装置４０に代えて、カッティングプロッタ５０を具備させてもよい。このカッティングシステムＳ´では、端末装置３０において、図３５に示す編集画面で、ユーザが所望のカッティングイメージを設定する。そして、編集画面（図３５）で「プレビュー」ボタンが押下されると、カッティングイメージと媒体イメージが合成された全体イメージが、プレビューマウス２０の透明ディスプレイ２２に表示される。一方、編集画面（図３５）で「カット」ボタンが押下されると、カッティングプロッタ５０において、カッティングイメージに基づいてシート状のラベルが切断される。
【０１１１】
このように、本発明はラベルライタのみならず、カッティングプロッタにも適用することができる。この場合、カッティングイメージが本発明の「出力イメージ」に相当し、カッティングプロッタ５０が本発明の「出力手段」に相当する。なお、ラベルライタ１についても、印刷出力部８をカッティング部に置き換えれば、上記と同様にして、本発明が適用されたカッティング装置として利用できる。
【０１１２】
また、ラベル印刷システムＳにおいては、複数のラベルを組み合わせたものに、１つの印刷イメージを印刷するスプリット印刷も実行できる。その場合、図３６に示すような編集画面において、ユーザが任意の印刷イメージを入力するとともに、何枚のラベルを組み合わせたものに、その印刷イメージを出力するかを設定する。図３６では、３枚のラベルを組み合わせたものに、印刷イメージ「ＨＩＪＫ」を出力することが示されている。なお、ラベルライタ１でも、同様にして、スプリット印刷を実行することができる。
【０１１３】
また、上記実施形態では、ユーザにより設定された印刷イメージがそのまま透明ディスプレイ２に表示されている。しかしながら、図３７に示すように、印刷イメージが出力される領域（印刷対象領域）のみが、透明ディスプレイ２に表示されるようにしてもよい。この場合、印刷対象領域が本発明の「出力対象領域」に相当する。
【０１１４】
なお、本発明に係る「被出力媒体」としては、ラベル及び短冊状のテープに限定されず、普通紙，布帛，マグネットシートなどの各種媒体を利用できることはいうまでもない。また、本発明に係る「媒体イメージ」としては、媒体自体の輪郭のみならず、媒体の有する模様や色彩などが透明ディスプレイ２に表示されるようにしてもよい。
【０１１５】
また、透明ディスプレイ２は、ガラス基板を用いるかわりに可撓性のある透明なプラスティックを用いた基板を用いてもよい。この場合、透明ディスプレイ２は可撓性を有し、対象物が曲面を有しているときには、さらに対象物に合わせやすくなる。また、透明ディスプレイ２には、印刷イメージと媒体イメージが合成された全体イメージのみならず、印刷イメージのみや、媒体イメージのみを表示するようにしてもよい。また、出力イメージ，印刷イメージ，媒体イメージのサイズや形状などを、任意に変化させて表示してもよい。また、図１０又は図２４に示すプレビュー処理は、リアルタイム表示や固定表示を実現できるのであれば、上記説明したものに手法に限定されず、従来の各種画像表示技術を用いて実現すればよい。さらに、透明ディスプレイ２は液晶でもよいが、ＥＬは液晶と異なり自光性なので、対象物が特に不透明な素材で構成されて光を通さない場合であっても、表示イメージをはっきりと確認することができる。
【産業上の利用可能性】
【０１１６】
本発明のイメージ表示装置は、被出力媒体に出力イメージを出力するラベルライタやカッティングプロッタなどに適用できる。
【図面の簡単な説明】
【０１１７】
【図１】ラベルライタ１の平面図である。
【図２】ラベルライタ１の側面図である。
【図３】ラベルライタ１の底面図である。
【図４】ラベルライタ１の側面断面図である。
【図５】ラベルライタ１の電気的構成を示すブロック図である。
【図６】ＲＡＭ１３に設けられた記憶領域の構成を示す図である。
【図７】透明ディスプレイ２に表示される編集画面の一例を示す図である。
【図８】ラベルライタ１のユーザによる使用態様を説明するための図である。
【図９】ラベルライタ１のメイン処理を示すフローチャートである。
【図１０】プレビュー処理（Ｓ７）の詳細を示すフローチャートである。
【図１１】リアルタイム初期化処理（Ｓ２３）の詳細を示すフローチャートである。
【図１２】リアルタイム初期化処理（Ｓ２３）における、作業用全体イメージ記憶エリア１３２を概念的に示す図である。
【図１３】リアルタイム初期化処理（Ｓ２３）における、作業用全体イメージ記憶エリア１３２を概念的に示す図である。
【図１４】リアルタイム初期化処理（Ｓ２３）における、作業用全体イメージ記憶エリア１３２を概念的に示す図である。
【図１５】リアルタイム初期化処理（Ｓ２３）における、作業用全体イメージ記憶エリア１３２を概念的に示す図である。
【図１６】リアルタイム初期化処理（Ｓ２３）における、全体イメージ及び表示イメージの位置関係を示す図である。
【図１７】リアルタイム表示処理（Ｓ２５）の詳細を示すフローチャートである。
【図１８】リアルタイム表示処理（Ｓ２５）における、作業用全体イメージ記憶エリア１３２を概念的に示す図である。
【図１９】リアルタイム表示処理（Ｓ２５）における、作業用全体イメージ記憶エリア１３２を概念的に示す図である。
【図２０】リアルタイム表示処理（Ｓ２５）における、作業用全体イメージ記憶エリア１３２を概念的に示す図である。
【図２１】リアルタイム表示処理（Ｓ２５）における、作業用全体イメージ記憶エリア１３２を概念的に示す図である。
【図２２】リアルタイム表示処理（Ｓ２５）における、全体イメージ及び表示イメージの位置関係を示す図である。
【図２３】リアルタイム表示処理（Ｓ２５）における、全体イメージ及び表示イメージの位置関係を示す図である。
【図２４】第２の実施の形態における、プレビュー処理（Ｓ７）の詳細を示すフローチャートである。
【図２５】固定用初期化処理（Ｓ１０１）の詳細を示すフローチャートである。
【図２６】固定表示処理（Ｓ１２１）の詳細を示すフローチャートである。
【図２７】ラベル印刷システムＳの全体構成図である。
【図２８】プレビューマウス２０の平面図である。
【図２９】プレビューマウス２０の側面図である。
【図３０】プレビューマウス２０の底面図である。
【図３１】透明ディスプレイ２２に表示される編集画面の一例を示す図である。
【図３２】端末装置３０のメイン処理を示すフローチャートである。
【図３３】プレビューマウス２０のメイン処理を示すフローチャートである。
【図３４】カッティングシステムＳ´の全体構成図である。
【図３５】透明ディスプレイ２２に表示される編集画面の他の例を示す図である。
【図３６】透明ディスプレイ２２に表示される編集画面の他の例を示す図である。
【図３７】ラベルライタ１の平面拡大図である。
【符号の説明】
【０１１８】
１    ラベルライタ
２    透明ディスプレイ
２´    画面表示領域
３    本体部
４    ヒンジ部
４´    仮想ヒンジ部
５    入力パネル
６    第１移動ボール
６´    仮想第１移動ボール
７    第２移動ボール
７´    仮想第２移動ボール
８    印刷出力部
９      ラベル排出口
１０    制御部
１１    ＣＰＵ
１２    ＲＯＭ
１３    ＲＡＭ
１４    第１位置センサ
１５    第２位置センサ
１６    角度センサ
１７    タイマ
１８    カセットセンサ
１９    通信Ｉ／F
２０    プレビューマウス
２１    ディスプレイ収容部
２２    透明ディスプレイ
２３    本体部
２４    ヒンジ部
２５    マウスキー
２６    移動ボール
２７    移動ボール
２９    マウスコード
３０    端末装置
４０    ラベル印刷装置
５０    カッティングプロッタ
Ｓ    ラベル印刷システム
Ｓ´    カッティングシステム
【図１】
2006168186.tif 000003
【図２】
2006168186.tif 000004
【図３】
2006168186.tif 000005
【図４】
2006168186.tif 000006
【図５】
2006168186.tif 000007
【図６】
2006168186.tif 000008
【図７】
2006168186.tif 000009
【図８】
2006168186.tif 000010
【図９】
2006168186.tif 000011
【図１０】
2006168186.tif 000012
【図１１】
2006168186.tif 000013
【図１２】
2006168186.tif 000014
【図１３】
2006168186.tif 000015
【図１４】
2006168186.tif 000016
【図１５】
2006168186.tif 000017
【図１６】
2006168186.tif 000018
【図１７】
2006168186.tif 000019
【図１８】
2006168186.tif 000020
【図１９】
2006168186.tif 000021
【図２０】
2006168186.tif 000022
【図２１】
2006168186.tif 000023
【図２２】
2006168186.tif 000024
【図２３】
2006168186.tif 000025
【図２４】
2006168186.tif 000026
【図２５】
2006168186.tif 000027
【図２６】
2006168186.tif 000028
【図２７】
2006168186.tif 000029
【図２８】
2006168186.tif 000030
【図２９】
2006168186.tif 000031
【図３０】
2006168186.tif 000032
【図３１】
2006168186.tif 000033
【図３２】
2006168186.tif 000034
【図３３】
2006168186.tif 000035
【図３４】
2006168186.tif 000036
【図３５】
2006168186.tif 000037
【図３６】
2006168186.tif 000038
【図３７】
2006168186.tif 000039